(57)【特許請求の範囲】
【請求項１】
１又は複数の記憶媒体からなる第１記憶媒体を備え前記第１記憶媒体に少なくとも入力情報を記憶させる第１記憶手段と、前記第１記憶手段から出力される情報を第２記録媒体に記録し再生する第２記録再生手段と、前記第２記録媒体に記録した情報を編集する編集手段と、前記第１記憶手段及び前記第２記録再生手段に対して情報の書き込み又は読み出しの制御をする制御手段とからなる記録再生装置であって、
前記記録再生装置の記録において、前記記録再生装置の操作者から編集要求があった場合に、前記第１記憶手段は前記第１記憶媒体に対する前記入力情報の書き込みを継続し、前記第２記録再生手段は前記第２記録媒体への書き込みを中断し、前記編集手段は前記第２記録媒体に記録した情報を前記第２記録媒体の記録内容管理表を変更することによって編集し、
前記操作者から編集要求が解除された場合に、前記第２記録再生手段は前記第２記録媒体への書き込みを再開することを特徴とする記録再生装置。
【請求項２】
１又は複数の記憶媒体からなる第１記憶媒体を備え前記第１記憶媒体に少なくとも入力情報を記憶させる第１記憶手段と、前記入力情報又は前記第１記憶手段から出力される情報を第２記録媒体に記録し再生する第２記録再生手段と、前記第２記録媒体に記録した情報を編集する編集手段と、前記第１記憶手段及び前記第２記録再生手段に対して情報の書き込み又は読み出しの制御をする制御手段とからなる記録再生装置であって、
前記記録再生装置の記録において、前記記録再生装置の操作者から編集要求がない場合には、前記第２記録再生手段は前記入力情報を前記第１記憶手段を介さずに記録し、
前記操作者から編集要求があった場合には、前記第１記憶手段は前記第１記憶媒体に対する前記入力情報の書き込みを行い、前記第２記録再生手段は前記第２記録媒体に対する前記入力情報の書き込みを中断し、前記編集手段は前記第２記録媒体に記録した情報を前記第２記録媒体の記録内容管理表を変更することによって編集し、
前記操作者から編集要求が解除された場合には、前記第２記録再生手段は、前記第１記憶手段から出力された情報の記録を行い、第２記録媒体に対して未記録の情報が前記第１記憶媒体に存在しなくなった時点以降に、前記第２記録媒体に記録する情報を前記第１記憶手段の出力から前記入力情報に切り替えることを特徴とする記録再生装置。
【請求項３】
前記編集の直後に前記第１記憶媒体から情報を読み出して前記第２記録再生手段で記録する時の記録速度を、前記編集時以外に前記第２記録再生手段で情報を記録する時の記録速度に比して大きくしたことを特徴とする請求項１又は請求項２記載の記録再生装置。
【発明の詳細な説明】
【０００１】
【発明の属する技術分野】
本発明は、オーディオ情報や画像情報を記録再生する装置に関し、特に編集機能付きの記録再生装置に関する。
【０００２】
【従来の技術】
音楽放送又はテレビ放送などを受信し、それを記録、再生する従来の記録再生装置では、操作者（ユーザ）は、記録（録音又は録画、録音及び録画）中の番組が終了した後に、記録済み記録媒体の再生をしたり、編集をしたりしていた。
【０００３】
【発明が解決しようとする課題】
このため、曲間などに放送される不要なアナウンスや不要なコマーシャルなどを記録してしまった場合に、これを消去しようとしても、全ての記録が終わった後に記録済み記録媒体を再生しながら消去していた。消去以外の編集作業を行う場合も同様であった。また不要な記録をしてしまったことが分かっても、記録中はその不要部分を消去できないために、記録媒体の実質的な記録容量が削減され、記録可能時間が短縮されるという問題があった。
本発明は前記した課題を解決するためになされたもので、編集を適宜行いつつも音声及び映像を実時間で記録できる記録再生装置を提供することを主たる目的とする。また、不要な情報を記録することによって記録媒体の記録容量が実質的に減少するのを防止することは本発明の目的の一つである。
【０００４】
なお、特開平７−５７２６６号公報には、例えばＣＤ−Ｒに楽曲データを記録する記録再生装置について開示されている。その記録再生装置では、ＣＤ−Ｒに音声データを記録するのに先立って音声データをバッファメモリに記録し、このバッファメモリは、音声データを書き込みつつ、読み出しも可能になっている。操作者（ユーザ）は、バッファメモリから書き込み済みの音声データを読み出して、音声をチェックしつつ、不必要な音声は消去して、必要な音声のみをバッファメモリからＣＤ−Ｒへ書き込むようにしている。
【０００５】
また、前記バッファメモリから音声データを読み出す際の読み出し速度を適宜速め、ＣＤ−Ｒへの書き込み速度も速めて、これによりバッファメモリからの音声の読み出し位置を音声の入力位置に追い付かせ、追い付き後は、バッファメモリを経由することなく、入力中の音声データをそのままＣＤ−Ｒに書き込むことも開示されている。しかしながら、特開平７−５７２６６号公報は、前記した本発明の課題を解決するための用途、機能は示唆していない。
【０００６】
【説題を解決するための手段】
本発明の記録再生装置は前記課題に鑑みてなされたものであり、
第１の発明は、１又は複数の記憶媒体からなる第１記憶媒体を備え前記第１記憶媒体に少なくとも入力情報を記憶させる第１記憶手段と、前記第１記憶手段から出力される情報を第２記録媒体に記録し再生する第２記録再生手段と、前記第２記録媒体に記録した情報を編集する編集手段と、前記第１記憶手段及び前記第２記録再生手段に対して情報の書き込み又は読み出しの制御をする制御手段とからなる記録再生装置であって、
前記記録再生装置の記録において、前記記録再生装置の操作者から編集要求があった場合に、前記第１記憶手段は前記第１記憶媒体に対する前記入力情報の書き込みを継続し、前記第２記録再生手段は前記第２記録媒体への書き込みを中断し、前記編集手段は前記第２記録媒体に記録した情報を再生し前記第２記録媒体の記録内容管理表を変更することによって編集し、
前記操作者から編集要求が解除された場合に、前記第２記録再生手段は前記第２記録媒体への書き込みを再開するようにした記録再生装置である。
【０００７】
なお、本明細書において、情報とは、音声（Ａｕｄｉｏ）情報及び映像（Ｖｉｄｅｏ）情報の両方を含む場合だけでなく、音声情報だけの場合や、映像情報だけの場合も含むものとする。したがって、本発明の記録再生装置は、テレビ番組等の音声及び映像の両方の記録、再生を行うものだけでなく、ラジオ番組等の音声のみの記録、再生を行うものも含む。また、記録対象となる入力情報としては、ラジオ放送やテレビ放送を受信した時に出力されるアナログ信号やディジタルデータに限らず、音楽演奏の現場で録音するような場合の音響情報も含まれる。
【０００８】
さらに、本明細書において、記録内容管理表とは、情報が分割して記録媒体に記録される場合に、分割された夫々の情報に対して付加される索引データなどが記載された表を指し、例えば情報の名称又は番号、記録場所、記録区域、データ構成などを明示するものである。一例を挙げれば、レコーダブルＭＤ（ミニディスク）におけるＵＴＯＣ（ユーザーズ・テーブル・オブ・コンテンツ）などである。また、必要があれば前記記録内容管理表には、分割して記録された複数の情報を結合するためのリンク情報が記載される。
前記記録内容管理表は、一つのテーブルで構成しても良いし、あるいは複数のテーブルで構成してもよい。
【０００９】
本発明の記録再生装置によれば、操作者は、入力情報の記録において、既に記録された情報に対して短時間で編集作業をすることができる。これは、編集においては記録媒体に記録された情報が実際に書き替えられるのではなく、記録された情報の記録位置や名称を記載した記録内容管理表を書き替えるだけであるからである。そして編集中は前記第２記録媒体への入力情報の記録は中断されるが、この間にも入力情報は前記第１記憶手段に一時的に記憶され続け、記憶された情報が編集の終了時に第２記録再生手段に転送され第２記録媒体に記録される。
【００１０】
したがって、本発明の記録再生装置によれば、記録中に適宜編集を行うことができ且つほぼ入力情報の実時間で入力情報を記録することがでるという効果を奏する。また、本発明の記録再生装置によれば、記録動作中にも記録済み情報の不要個所を実質的に消去することができるから、不要な情報によって記録媒体の記録容量が実質的に削減されることを防止できるという効果も奏する。
【００１１】
第２の発明は、１又は複数の記憶媒体からなる第１記憶媒体を備え前記第１記憶媒体に少なくとも入力情報を記憶させる第１記憶手段と、前記入力情報又は前記第１記憶手段から出力される情報を第２記録媒体に記録し再生する第２記録再生手段と、前記第２記録媒体に記録した情報を編集する編集手段と、前記第１記憶手段及び前記第２記録再生手段に対して情報の書き込み又は読み出しの制御をする制御手段とからなる記録再生装置であって、
前記記録再生装置の記録において、前記記録再生装置の操作者から編集要求がない場合には、前記第２記録再生手段は前記入力情報を前記第１記憶手段を介さずに記録し、
前記操作者から編集要求があった場合には、前記第１記憶手段は前記第１記憶媒体に対する前記入力情報の書き込みを行い、前記第２記録再生手段は前記第２記録媒体に対する前記入力情報の書き込みを中断し、前記編集手段は前記第２記録媒体に記録した情報を前記第２記録媒体の記録内容管理表を変更することによって編集し、
前記操作者から編集要求が解除された場合には、前記第２記録再生手段は、前記第１記憶手段から出力された情報の記録を行い、第２記録媒体に対して未記録の情報が前記第１記憶媒体に存在しなくなった時点以降に、前記第２記録媒体に記録する情報を前記第１記憶手段の出力から前記入力情報に切り替えるようにした記録再生装置である。
【００１２】
この第２の発明においては、編集時以外は、第１記憶手段を介さずに第２記録再生手段に印加された入力情報が、第２記録媒体に記録される。
【００１３】
第３の発明は、前記第１の発明又は第２の発明の記録再生装置において、前記編集の直後に前記第１記憶媒体から情報を読み出して前記第２記録再生手段で記録する時の記録速度を、前記編集時以外に前記第２記録再生手段で情報を記録する時の記録速度に比して大きくした記録再生装置である。
【００１４】
この第３の発明では、編集終了時において、第１の記憶媒体に蓄積されていた情報が第２記録再生手段に転送されて第２記録媒体に記録されるときに、その記録速度を速めて編集による時間ロスを回復させるものである。前記第２記録再生手段では編集時以外には入力される情報の入力速度と同じ速度で記録される。すなわち１分間に入力された情報は１分間で記録される。このことを本明細書では入力情報の実時間で記録する、と記している。
編集終了直後の第２記録媒体への記録は、前記実時間記録に比べて高速に行われる。これにより、編集によって生じるロスタイムが回復され、本発明記録再生装置へ現在入力されている情報と、第２記録媒体に対して現在記録されている情報との時間差が短縮され、実時間記録が実現し易くなる。
【００１５】
第４の発明は、第１の発明又は第２の発明又は第３の発明における前記編集において、前記編集を開始する直前に前記第２記録媒体に記録していた情報と、前記編集の終了時に前記第１記憶媒体から前記第２記録媒体に転送して最初に記録する情報とを統合し、前記両情報に対して共通の名称又は番号を自動的に付加して前記記録内容管理表に記録するようにした記録再生装置である。
【００１６】
第４の発明の記録再生装置によれば、編集開始点より前の情報と後の情報とが編集によって別々の情報として分断されることを防止することができる。
【００１７】
第５の発明は、第１の発明又は第２の発明又は第３の発明の記録再生装置における前記編集において、前記情報の一区間を消去する場合に、消去する当該区間が所定値より短いときには、当該区間の前及び後の情報に対して自動的に共通の名称又は番号を付加して前記記録内容管理表に記録するようにした記録再生装置である。
【００１８】
第５の発明の記録再生装置によれば、記録された一つの情報中の小部分が編集によって消去される場合に、この消去される部分の直前の情報と直後の情報とが編集によって別々の情報として分断されることを防止することができる。前記小部分は、例えば、その部分の情報の実時間が所定時間より短い、あるいはその部分の情報の符号量が所定の符号量より少ない、あるいはその部分の記録領域が所定の記録領域より小さい、などに基づいて、編集手段によって自動的に判断される。
【００１９】
【発明の実施の形態】
以下、発明の実施の形態について図面を参照して説明する。
本発明の記録再生装置は、操作者が、放送番組などを記録中に、記録済みの情報に対して編集を行い、且つほぼ実時間で放送番組などを記録できるようにした記録再生装置である。前記編集とは、例えば、記録された複数の楽曲や画像情報に対して、消去、分割、連結、移動などを行うもので、本記録再生装置で記録する記録媒体内には記録内容管理表が記録されており、この記録内容管理表を書き替えることによって、記録済み情報を実質的に編集するものである。
【００２０】
本発明記録再生装置は、記録対象の情報を第１記憶媒体に一時的に記憶しこの情報を随時読み出しできる第１記憶手段と、記録対象の情報を第２記録媒体に記録しこれを再生できる第２記録再生手段とを備えている。編集時以外に第２記録再生手段で再生された情報は、ディジタル情報として外部に出力されるか、ディジタル／アナログ変換器（ＤＡＣ）を介してアナログ情報信号として外部に出力される。前記ディジタル情報とアナログ情報の両方を出力しても良い。
前記第１記憶媒体及び第１記憶手段は、例えば半導体メモリのごとく一時的に情報を蓄えるものであるが、入力情報の実時間より短時間で書き込み読み出しができるよう、書き込み及び読み出しが比較的高速に行えるものが選択される。なお、前記第１記憶媒体は一つの半導体メモリなどで構成しても良いし、個別に設けられた複数の半導体メモリなどによって構成しても良い。
【００２１】
また、前記第２記録媒体及び第２記録再生手段は、随時の書き込み又は読み出しが可能であるが、第２記録媒体は不揮発型であり、第２記録再生手段に固定して用いられる固定型と、着脱自在の可搬型とのいずれでも良い。
前記第２記録媒体は、例えばＭＤ（ミニディスク）のごとく使用者が比較的長期間にわたって記録状態を維持できるものであるが、光ディスクに限らず、光磁気ディスクその他の記録可能型記録媒体でも良い。前記第２記録媒体及び第２記録再生手段は、例えばＭＤとＭＤに対して記録再生するＭＤ装置とで構成されるが、ランダムアクセスが可能である必要があり、また、記録再生する情報の実時間よりも短時間で記録できることが必要である。
これは、本発明の記録再生装置で記録中に、前記第２記録媒体に既に記録された情報に対して操作者が編集を行う場合には、入力情報は常時前記第１記憶媒体に書き込み続けられ、前記第２記憶媒体への記録は一時中止され、編集が終了される時点で、前記第１記憶媒体に記憶されていた情報が高速に前記第２記録再生手段に転送されて第２記録媒体に記録される必要があるからである。
【００２２】
即ち、前記編集の直後又は編集の終了時に前記第１記憶媒体から情報を読み出してこの情報を前記第２記録再生手段で記録する時の記録速度を、前記編集時以外に前記第２記録再生手段で情報を記録する時の記録速度（実時間記録）に比して大きくすることにより、前記編集によるロスタイムが短縮されるようにするのである。
また、前記第２記録媒体に既に記録された情報を実際に書き替えることなく、前記第２記録媒体の前記記録内容管理表を書き替えるよって、前記第２記録媒体の記録済み情報を編集するために、第２記録再生手段での再生、及び編集時の再生においては離れた記録位置（アドレス）に連続的に高速にアクセスできる機能が必要である。
【００２３】
本発明の記録再生手段によれば、入力情報を記録中に、既に第２記録媒体に記録済みの情報に対して編集する必要が生じたときに、操作者は、前記記録済み情報を再生して編集作業を行うことができ、編集を終了する時点で、一時的に第１記憶媒体に記憶されていた情報が前記第２記録再生手段に転送され高速に第２記録媒体に記録されて、その後は通常の記録が続けられることにより、ほぼ入力情報の実時間で入力情報の記録をすることが可能となる。
また、前記したように本記録再生装置で記録中に、既に記録された情報を再生して編集することができるから、従来のように記録すべき番組の受信などが全て終了した後で編集作業をするという煩わしさがなくなる効果を奏する。さらに、前記第２記録媒体に不要な記録がなされると、実質的に第２記録媒体の記録容量を減少させるという問題があるが、本発明の記録再生装置によれば記録の途中でも不要な記録済み情報を消去できるから前記問題も解消される。
【００２４】
以下、図１及び図２を参照して本発明記録再生装置の第１実施例について説明する。
図１は本発明記録再生装置の第１実施例を示すブロック図であり、図２は図１に示す記録再生装置における処理手順を示すフローチャートである。
図１に示す本発明記録再生装置１０は、入力情報を一時的に記憶する第１記憶手段２と、前記第１記憶手段２から情報を読み出して第２記録媒体に記録しこれを再生する第２記録再生手段３と、前記第１記憶手段２と前記第２記録再生手段３について情報の書き込み読み出しの制御をする制御手段５と、記録再生装置１０の操作者から前記第２記録媒体に記録された情報の編集要求がなされた場合に前記編集を行う編集手段６とで構成される。
【００２５】
第１記憶手段２では、編集要求があったかどうかに関係なく、本記録再生装置で記録が行われている間は常時入力情報の書き込みが行われる（図２のＳ２）。前記入力情報がアナログ情報の場合にはアナログ／ディジタル変換器（ＡＤＣ）２を介して第１記憶手段２に入力され、前記入力情報がディジタル情報の場合にはアナログ／ディジタル変換器（ＡＤＣ）２を介さずに第１記憶手段２に入力される。第１記憶手段２ではいずれか一方の入力情報がスイッチで選択されディジタル情報として記憶される。
操作者から編集要求がない場合には、第１記憶手段２に記憶された情報は第２記録再生手段３に出力され、第２記録再生手段３によって第２記録媒体に記録される（Ｓ３）。
【００２６】
Ｓ４で操作者から編集要求があった場合には、第１記憶手段２から第２記録再生手段３への情報の送出は中止され、第２記録再生手段３では第１記憶手段２から送出される情報の書き込みが中止され、編集手段６では前記第２記録媒体の再生が行われ、記録された情報の編集が開始される。前記編集手段６の再生機能は、第２記録再生手段３を編集手段６の一部として利用することにより実現される。
前記第２記録媒体の再生時には、第２記録媒体に記録されている前記記録内容管理表が読み出されて記録再生装置１０内の例えばＲＡＭに転記され、このＲＡＭに記載されている記録内容管理表に基づいてアクセスが行われ再生される。前記再生においては、同一の名称又は番号が付された情報は一つの情報として連続的に再生される。一つの情報が分断されて第２記録媒体の異なる位置に記録されている場合には、リンク情報に基づいてそれらが単一の情報として連続的に再生される。
【００２７】
図２に示すように、編集時には編集手段６によって記録内容管理表が変更されるが、まず記録再生装置１０内のＲＡＭなどに編集結果が書き込まれる（Ｓ６）。その後Ｓ７で操作者から編集解除の指示があると、Ｓ８では、記録再生装置１０内のＲＡＭに記載された前記記録内容管理表が第２記録媒体に転記され、第１記憶手段に記憶されている情報が第２記録再生手段３へ転送され、第２記録媒体に記録される。
そしてＳ９に進み、記録終了の指示がなければ第２記録再生手段３では第１記憶手段２から送出される情報の記録が再開される（Ｓ３）。
【００２８】
なお、操作者によって編集が行われている間にも、新たな入力情報が第１記憶手段２に書き込み続けられるが、一旦第２記録媒体に記録された情報は第１記憶媒体から消去される。
また、図２のフローチャートでは、記録再生装置１０内のＲＡＭに記載された記録内容管理表が第２記録媒体の記録内容管理表に転記される処理が、編集終了時（Ｓ８）に行われるとして記載されているが、Ｓ８の代わりに、編集終了後の適当なタイミング、例えば全ての記録動作を終了する記録動作停止（Ｓ１０）の前後、又は第２記録媒体が第２記録再生手段からアンセットされるときに行われるようにしても良い。
【００２９】
前記制御手段５において、第１記憶手段２から情報を第２記録再生手段３に対して送出するか否かの制御、及び第２記録再生手段３で情報を記録するか中止するかの制御は、操作者からの指示を受けた制御手段５からの制御信号に基づいて行われる。
また、前記第２記録媒体に記録された情報に対する編集は、必要に応じて前記第２記録媒体を再生して行われるが、前記したように記録された情報を実際に書き替えるのではなく、前記記録内容管理表に記載された内容を書き替えることによって行われる。編集時に前記第２記録媒体を再生する機能は、前記第２記録再生手段３を前記編集手段６の一部として構成することによって得られる。
【００３０】
以下、前記第２記録媒体への情報の記録方法について一例を述べる。
前記第２記録媒体には、例えば第１の楽曲（楽曲１）が一つのトラックの情報として記録され、前記第１の楽曲の名称及びトラックの番号が前記第１の楽曲に付随する情報として前記記録内容管理表に記載される。続いて第２の楽曲（楽曲２）が記録されるときには、別の名称及び次のトラック番号が付され、前記第２の楽曲に付随する情報として前記記録内容管理表に記載される。
【００３１】
このようにして、例えば、トラック１には楽曲１が、トラック２には楽曲２が、トラック３には楽曲３が、トラック４には楽曲４が記録される。編集時において、例えば楽曲２の情報が消去される場合には、記録されている前記楽曲２の記録が実際に消去されるのではなく、前記記録内容管理表だけが書き替えられる。すなわち編集後は、楽曲１にはトラック番号１が、楽曲３にはトラック番号２が、楽曲４にはトラック番号３が付される。
このように前記記録内容管理表には、分割して記録された各情報ごとに付加される索引データが記載され、例えば情報の名称又は番号、記録場所、記録区域、データ構成などが明示される。また、必要があれば前記記録内容管理表に対して、分割して記録された複数の情報を結合するためのリンク情報が記載される。
【００３２】
このリンク情報は、例えば楽曲３の一部が消去されたような場合に、消去された部分の前後の情報を結合するために、消去された部分の前後の情報が記録されている記録領域のアドレスが記載される。
前記記録内容管理表を編集中に書き替える場合、まず記録再生装置１０内のＲＡＭに記載された記録内容管理表が変更（書き替え）される。そして編集を終了するときに、前記ＲＡＭに記載された記録内容管理表が前記第２記録媒体に転記される。前記ＲＡＭは記録再生装置１０内に設けられているＲＡＭであり、図１では前記ＲＡＭに対する書き込み、読み出しの経路は図示が省略されている。
【００３３】
前記編集の方法についてさらに具体的に述べる。
編集要求は操作者が必要に応じて発するものである。このため一つの楽曲（例えば楽曲３）の途中が編集開始点となる場合がある。この場合、第２記録媒体に対して楽曲３の前半は編集前に記録され、後半は編集後に記録されることとなり、２つの別々の楽曲として記録されてしまう虞がある。この問題を解決するために、編集開始点前後の情報はたとえ離れた記録位置に記録された場合であっても同一の楽曲であるとして、前記記録内容管理表に記載される。
即ち、前記編集において、前記編集を開始する直前に前記第２記録媒体に記録していた情報と、前記編集の終了時に前記第１記憶媒体から前記第２記録媒体に転送して最初に記録する情報とを統合し、前記両情報に対して共通の名称又は番号を自動的に付加して前記記録内容管理表に記録されるのである。
【００３４】
また、前記編集において、第２記録媒体に記録した楽曲や映像を再生してみて、その一部を消去したい場合がある。例えば記録中に、不要なコマーシャル、アナウンス、ノイズなどを記録してしまった場合であるが、これらの消去したい情報が所定長より短い情報であれば、消去される情報の前後の情報は別々の情報ではなく、一連の情報あるいは同一トラックに属すべき情報であることが多い。したがってこのような場合には、消去される部分の前後の情報に対して共通の名称又は番号が前記編集手段６によって自動的に付され、前記記録内容管理表に記載されるようにする。
【００３５】
すなわち、前記編集において、前記情報の一区間を消去する場合に、消去する当該区間が所定値より短い時には、当該区間の前及び後の情報に対して自動的に共通の名称又は番号が付加され前記記録内容管理表に記録される。
本構成によれば、既に記録されている連続した一つの情報が、編集により別々の情報として分断されてしまうのを防止することが可能である。
【００３６】
記録再生装置１０で第２記録媒体が再生されるときは、再生対象の第２記録媒体から第２記録再生手段３で情報が読み出され、ディジタル情報として出力されると共に、ディジタル／アナログ変換器（ＤＡＣ）を介してアナログ情報としても外部に出力される。この出力は、操作者の要求、又は記録再生装置の仕様によっては、いずれか一方のみを出力するようにしてもよい。
【００３７】
次に、本発明記録再生装置の第２実施例について、図３及び図４を基に説明する。
図３は本発明記録再生装置の第２実施例を示すブロック図であり、図４は図３に示す記録再生装置における処理手順を示すフローチャートである。
図３と図１において、同一機能を有する要素には同一の符号を付しその説明を省略する。図３に示す記録再生装置２０と図１に示す記録再生装置１０との主たる違いは、第２記録再生手段３Ｂが入力側に第１記憶手段となるバッファメモリを有する点と、編集時以外は、入力情報は第１記憶手段２を介さずに第２記録再生手段３Ｂに入力される点である（図４のＳ２）。
【００３８】
入力されたアナログ情報又はディジタル情報は、編集時以外には第１記憶手段２を介さずに第２記録再生手段３Ｂに入力され、第２記録媒体に記録される（Ｓ２）。Ｓ３で操作者から編集要求があった場合には、第１記憶手段２で前記入力情報の書き込みが開始され（Ｓ４）、第２記録再生手段３では前記入力情報の記録動作が中止され（Ｓ５）、編集手段６では前記第２記録媒体の再生を必要に応じて行いつつ、第２記録媒体に記録された情報の編集が行われ、この編集結果に基づいて、記録再生装置２０内のＲＡＭなどに記録されている記録内容管理表が変更される（Ｓ６）。
【００３９】
その後Ｓ７で操作者から編集解除の指示があると、Ｓ８では、編集が終了され、記録再生装置２０内のＲＡＭに記載された前記記録内容管理表が第２記録再生手段３Ｂに転送され、第２記録媒体に記録される。また、編集開始時から第１記憶手段２に記憶された入力情報が第２記録再生手段３Ｂへ転送され、第２記録媒体に記録される。第２記録媒体にまだ記録されていない情報が第１記憶媒体に存在しなくなった時点以降の適当なタイミングで、前記第２記録再生手段３Ｂへの入力が前記第１記憶手段２の出力から前記入力情報に切り替えられる。
【００４０】
そしてＳ９に進み、記録終了の指示がなければＳ２へ進み、第２記録再生手段３Ｂでは入力された情報の記録が再開される。
また、図４のフローチャートでは、記録再生装置２０内のＲＡＭに記載された記録内容管理表が第２記録媒体の記録内容管理表に転記される処理が、編集終了時（Ｓ８）に行われるとして記載されているが、Ｓ８の代わりに、編集終了時後の適当なタイミング、例えば全ての記録動作を終了する記録動作停止（Ｓ１０）の前後、又は第２記録媒体が第２記録再生手段３Ｂからアンセットされるときに行われるようにしても良い。
【００４１】
なお、Ｓ９で記録終了の指示があると、記録動作が停止され（Ｓ１０）、Ｓ１１では必要に応じて第２記録媒体が第２記録再生手段３Ｂからアンセットされる。
【図面の簡単な説明】
【図１】本発明記録再生装置の第１実施例を示すブロック図である。
【図２】図１に示す本発明記録再生装置における処理手順を示すフローチャートである。
【図３】本発明記録再生装置の第２実施例を示すブロック図である。
【図４】図３に示す本発明記録再生装置における処理手順を示すフローチャートである。
【符号の説明】
１    アナログ／ディジタル変換器
２    第１記憶手段
３、３Ｂ    第２記録再生手段
４    ディジタル／アナログ変換器
５    制御手段
６    編集手段
１０、２０    記録再生装置
【図１】
0003542528.tif 000002
【図２】
0003542528.tif 000003
【図３】
0003542528.tif 000004
【図４】
0003542528.tif 000005